【手続補正書】
【提出日】平成18年3月22日(2006.3.22)
【手続補正１】
【補正対象書類名】明細書
【補正対象項目名】特許請求の範囲
【補正方法】変更
【補正の内容】
【特許請求の範囲】
【請求項１】舗装方向前側に舗装材料を受容する取り外し可能なホッパー８を備え舗装方向後側に浮動スクリード４を備えた車台１と、前記ホッパー８と前記スクリード４の舗装方向前側に設置された分配機構螺旋錘６との間に設けられた縦方向コンベヤー装置７と、該コンベヤー装置７に向いて開いていて舗装方向に前記コンベヤー装置７に隣接して延びている軸２１の周りに回動可能な二つのホッパー半分９から成るホッパー８とを有し、前記縦方向コンベヤー装置７は前記二つのホッパー半分９の間の輸送側底部に配置されている、舗装機械において、前記各ホッパー半分９には、底側のバンドコンベヤー装置として設計されていて、ホッパー底部８ａの一部を形成し、前記縦方向コンベヤー装置７まで延び且つ前記縦方向コンベヤー装置７のホッパー側端部の側方に終端のある横方向コンベヤー装置１２が設けられ、前記各横方向コンベヤー装置１２以外の前記ホッパー半分９の底部部分１４、１９は前記横方向コンベヤー装置１２に対して傾けることができ且つ軸２１の周りを前記ホッパー半分９と共に回動可能であり、前記各ホッパー半分９は装填車に対して前記各ホッパー半分９と共に回動する振動横部材２３をその前方に有していることを特徴とする舗装機械。
【請求項２】舗装方向側に設置されていて前記各横方向コンベヤー装置１２以外の底部部分１９を含む前記ホッパー半分９のホッパー半分部分１６は、前記各横方向コンベヤー装置の輸送方向に該横方向コンベヤー装置に隣接して延びている軸２０の周りに前方向へ回動可能であることを特徴とする請求項１に記載の舗装機械。
【請求項３】前記ホッパー半分９は、舗装方向前側に設置されていて前記各横方向コンベヤー装置の輸送方向に該横方向コンベヤー装置に隣接して延びている軸１５の周りに後方向へ回動可能である底部部分１４を含んでいることを特徴とする請求項１又は２に記載の舗装機械。
【請求項４】前記各横方向コンベヤー装置１２に対して傾けることが可能な前記ホッパー半分９の前記底部部分１４、１９は、油圧シリンダーを介して駆動され得るようになっていることを特徴とする請求項１乃至３の何れかに記載の舗装機械。
【請求項５】前記縦方向コンベヤー装置７は、該縦方向コンベヤー装置７の搬送方向に対し垂直で且つ該縦方向コンベヤー装置７の上部索の上にある固定軸の周りに回動可能な案内板２２を含んでいることを特徴とする請求項１乃至４の何れかに記載の舗装機械。
【請求項６】前記縦方向コンベヤー装置７は、二つの平行なコンベヤーを含んでいることを特徴とする請求項１乃至５の何れかに記載の舗装機械。
【請求項７】前記横方向コンベヤー装置１２の下側の前記各ホッパー半分９には、少なくとも一つの走行用伝動装置２４が配置されていることを特徴とする請求項１乃至６の何れかに記載の舗装機械。
【請求項８】前記伝動装置２４は従動性を有していることを特徴とする請求項７に記載の舗装機械。
【請求項９】前記伝動装置２４はそれ自体駆動力を有していることを特徴とする請求項７に記載の舗装機械。
【請求項１０】前記伝動装置２４はトルクが負荷に応じて規制され得るようになっていることを特徴とする請求項９に記載の舗装機械。
【請求項１１】前記伝動装置２４は夫々少なくとも一つの支持輪を含んでいることを特徴とする請求項７乃至１０の何れかに記載の舗装機械。
【請求項１２】前記伝動装置２４は夫々少なくとも一つの無限軌道走行ギヤーを含んでいることを特徴とする請求項７乃至１０の何れかに記載の舗装機械。
【請求項１３】前記ホッパー半分９は、夫々舗装方向に前記縦方向コンベヤー装置７に隣接して延びた軸２１の周りに車台１のホッパー支持体に対して関節式に装着されていることを特徴とする請求項７乃至１２の何れかに記載の舗装機械。
【請求項１４】前記ホッパー半分９は、夫々舗装方向に前記縦方向コンベヤー装置７に隣接して延びた軸２１の周りに輸送位置において上方へ回動可能であるように枢着されていることを特徴とする請求項１乃至１３の何れかに記載の舗装機械。
【請求項１５】前記横方向コンベヤー装置１２は垂直荷重の大きさに従って交互に駆動され得るようになっていることを特徴とする請求項１乃至１４の何れかに記載の舗装機械。
【請求項１６】前記横方向コンベヤー装置１２は垂直荷重の大きさに従って交互に駆動され得るようになっていて、且つ運転中の横方向コンベヤー装置１２に従って前記案内板２２が所要の方向へ夫々自動的に偏向せしめられ得るようになっていることを特徴とする請求項５乃至１４の何れかに記載の舗装機械。
【請求項１７】前記ホッパー８は舗装機械上にユニットとして取り外し可能に配置されていることを特徴とする請求項１乃至１６の何れかに記載の舗装機械。
【請求項１８】装填車の後側に対向して当接せしめられる振動横部材２３が前記二つのホッパー半分９の前方の前端に夫々配置されていることを特徴とする請求項１７に記載の舗装機械。
【請求項１９】舗装方向前側に舗装材料を受容する取り外し可能なホッパー８を備えた車台１を有し、前記ホッパー８に続くように舗装機械用装填機の後端の向こうに延びている縦方向コンベヤー装置７を備え、前記ホッパー８は前記縦方向コンベヤー装置７に向いて開き且つ二つのホッパー半分９から成り、横方向コンベヤー装置１２を夫々有し、前記縦方向コンベヤー装置７は前記二つのホッパー半分９の間の輸送側底部に配置されており、前記横方向コンベヤー装置１２は前記底部側に配置されて前記縦方向コンベヤー装置７まで延びており、且つ前記縦方向コンベヤー装置７のホッパー側端部の横で終わっている舗装機械用装填機において、前記横方向コンベヤー装置１２はホッパー底部８ａの一部を形成するバンドコンベヤー装置であり、前記各横方向コンベヤー装置１２以外の前記ホッパー半分９の底部部分１４，１９は前記横方向コンベヤー装置１２に対して傾けることができ、そして前記横方向コンベヤー装置１２は前記ホッパー半分９と共に前記縦方向コンベヤー装置７に隣接して舗装方向に延びた軸２１の周りに回動可能であり、前記各ホッパー半分９は装填車に対して前記各ホッパー半分９と共に回動する振動横部材２３をその前方に有することを特徴とする舗装機械用装填機。
【請求項２０】舗装方向後側に設置されていて前記各横方向コンベヤー装置１２以外の底部部分１９を含む前記ホッパー半分９のホッパー半分部分１６は、前記各横方向コンベヤー装置１２の輸送方向に該横方向コンベヤー装置１２に隣接して延びている軸２０の周りに前方向へ回動可能であることを特徴とする請求項１９に記載の装填機。
【請求項２１】前記各ホッパー半分９は、舗装方向前側に設置されていて前記各横方向コンベヤー装置１２の輸送方向に該横方向コンベヤー装置１２に隣接して延びている軸１５の周りに後方向へ回動可能である底部部分１４を含んでいることを特徴とする請求項１９又は２０に記載の装填機。
【請求項２２】前記横方向コンベヤー装置１２に対して傾けることが可能な前記各ホッパー半分９の前記底部部分１４、１９は、油圧シリンダーを介して駆動され得るようになっていることを特徴とする請求項１９乃至２１の何れかに記載の装填機。
【請求項２３】前記縦方向コンベヤー装置７は、該縦方向コンベヤー装置７の搬送方向に対し垂直で且つ該縦方向コンベヤー装置７の上部索の上にある固定軸の周りに回動可能な案内板２２を含んでいることを特徴とする請求項１９乃至２２の何れかに記載の装填機。
【請求項２４】前記縦方向コンベヤー装置７は二つの平行なコンベヤーを含んでいることを特徴とする請求項１９乃至２３の何れかに記載の装填機。
【請求項２５】前記横方向コンベヤー装置１２の下側の前記各ホッパー半分９には、少なくとも一つの走行用伝動装置２４が配置されていることを特徴とする請求項１９乃至２４の何れかに記載の装填機。
【請求項２６】前記伝動装置２４は従動性を有していることを特徴とする請求項２５に記載の装填機。
【請求項２７】前記伝動装置２４はそれ自体駆動力を有していることを特徴とする請求項２５に記載の装填機。
【請求項２８】前記伝動装置２４はトルクが負荷に応じて規制され得るようになっていることを特徴とする請求項２７に記載の装填機。
【請求項２９】前記伝動装置２４は夫々少なくとも一つの支持輪を含んでいることを特徴とする請求項２５乃至２８の何れかに記載の装填機。
【請求項３０】前記伝動装置２４は夫々少なくとも一つの無限軌道走行ギヤーを含んでいることを特徴とする請求項２５乃至２９の何れかに記載の装填機。
【請求項３１】前記ホッパー半分９は、夫々舗装方向に前記縦方向コンベヤー装置７に隣接して延びた軸２１の周りに車台１のホッパー支持体に対して関節式に装着されていることを特徴とする請求項２５乃至３０の何れかに記載の装填機。
【請求項３２】前記ホッパー半分９は、夫々舗装方向に前記縦方向コンベヤー装置７に隣接して延びた軸２１の周りに輸送位置において上方へ回動可能であるように枢着されていることを特徴とする請求項１９乃至３１の何れかに記載の装填機。
【請求項３３】前記横方向コンベヤー装置１２は垂直荷重の大きさに従って交互に駆動され得るようになっていることを特徴とする請求項１９乃至３２の何れかに記載の装填機。
【請求項３４】前記横方向コンベヤー装置１２は垂直荷重の大きさに従って交互に駆動され得るようになっていて、且つ運転中の前記横方向コンベヤー装置１２に従って前記案内板２２が所要の方向へ夫々自動的に偏向せしめられ得るようになっていることを特徴とする請求項２３乃至３２の何れかに記載の装填機。
【請求項３５】前記ホッパー８は装填機上にユニットとして取り外し可能に配置されていることを特徴とする請求項１９乃至３４の何れかに記載の装填機。
【請求項３６】舗装材料を配送する装填車の後側に対向して当接せしめられる振動横部材２３が、前記二つのホッパー半分９の前方の前端に夫々配置されていることを特徴とする請求項３５に記載の装填機。
【請求項３７】前記縦方向コンベヤー装置７は一つ又は二つのゴムバンドコンベヤーから成っていることを特徴とする請求項１９乃至３６の何れかに記載の装填機。
【請求項３８】前記ホッパー８は、縦方向コンベヤー装置７のコンベヤーに隣接して該縦方向コンベヤー装置７に配置された中間隔壁を有し、前記コンベヤーは同一又は異なった長さを有し且つ／又は異なった高さ位置にあって、若し適当であれば、前記コンベヤーの少なくとも一方は放出側で横方向に回動可能であることを特徴とする請求項１９乃至３７の何れかに記載の装填機。
【手続補正２】
【補正対象書類名】明細書
【補正対象項目名】０００９
【補正方法】変更
【補正の内容】
【０００９】
装填機上で縦方向コンベヤー装置は便宜上（若し適当ならば加熱可能な）一つ又は二つのゴムバンドコンベヤーから成り、舗装されるべき材料が後続の舗装機械へ輸送されるべきである時は、装填機の後端側へより長く突出する縦方向コンベヤー装置が装備されるべきであり、これに対して、別のコンベヤーバンドへ輸送されてそこから舗装機械へ輸送されるべきである時は、輸送のためのより短い突出長さが装備されれば良い。更に同時に、ホッパーに装填機の縦方向中心に延びる隔壁と、一方がその隔壁の両側に夫々配置される二つのゴムバンドコンベヤーとを設けることが可能である。装填機は、それによって二つの異なる舗装用材料例えば二つの別の舗装機械又は舗装用組立体へ放出されるバインダーコース用の混合材料と磨耗したコース用の混合材料を取り扱うことが出来る。この場合、舗装材料は対応した装填車を介して関係する各ホッパー半分の中へ投入されて、それらは同一のコンベヤーによって運ばれなければならないことは無く、従って混合は回避されるようになる。舗装用材料は、適当な長さのゴムバンドコンベヤーへ直接供給されるか、又は独立したコンベヤーバンドを介して更に後方にある舗装機械に少なくとも関係して供給され得る。縦方向コンベヤー装置の一つ又は複数のコンベヤーは、普通の情況に適合するのを保障するため、垂直方向に調節可能であり及び／又は放出側で横方向に回動可能である。